(57)【要約】【課題】バンドを腕に装着した状態であっても、簡単かつ容易にバンドの長さを調整することができるバンド長さ調整機構付きバックル構造を提供する。【解決手段】バンドの長さを調整するとき、使用者が操作部材１０を周方向に回転させると、操作部材１０の回転力を受けてバックル本体１内部でスライド部材が移動し、これに伴ってバンド端部３がバックル本体１に対してバンド長手方向へ移動する。このバンド端部３の出没量の調整により、バンド長さを調整することができる。このため、バンド装着者は、腕にバンドを装着した状態において、バンドを装着していない方の腕の手指により、操作部材１０を周方向に回転させるだけで、バックル本体に対してバンドを移動することができて、容易かつ簡単にバンドの長さ調整を行うことができる。【選択図】図１
0003159560.tif 000002
【実用新案登録請求の範囲】
【請求項１】
蓋状のバックル本体の一部に開口部を形成し、
前記開口部に、周囲に螺旋溝が形成された軸状の操作部材を周方向に回転可能に設け、
前記操作部材の前記螺旋溝と噛合する複数の歯部が形成された移動部材を、前記バックル本体の内部にてバンド長手方向へ移動可能に設け、
前記移動部材に一方のバンドを固定し、かつ前記バックル本体に他方のバンドを係止し、
前記操作部材の周方向の回転操作により、前記螺旋溝から前記歯部への押圧によって前記移動部材を移動させることにより、前記一方のバンドの前記バックル本体に対する出没量を調整可能にしたことを特徴とするバンド長さ調整機構付きバックル構造。
【請求項２】
前記操作部材を前記バックル本体の上面と側面との角部に形成した前記開口部に設けたことを特徴とする請求項１記載のバンド長さ調整機構付きバックル構造。
【請求項３】
前記操作部材がウォームギャ構造であることを特徴とする請求項１または２記載のバンド長さ調整機構付きバックル構造。
【請求項４】
前記操作部材の外周部に滑り止め用の凹凸部を形成したことを特徴とする請求項１〜３いずれか１項記載のバンド長さ調整機構付きバックル構造。
【請求項５】
前記バックル本体の内部に前記操作部材の位置および動きを規制する付勢部材を備えたことを特徴とする請求項１〜４いずれか１項記載のバンド長さ調整機構付きバックル構造。
【請求項６】
前記バックル本体に折り畳み型の中留を介して前記他方のバンドを係止したことを特徴とする請求項１〜５いずれか１項記載のバンド長さ調整機構付きバックル構造。
【考案の詳細な説明】
【技術分野】
【０００１】  本考案は、バンドの連結部に設けられ、バンドの長さを調整するための機構を備えたバックル構造に関するものである。
【背景技術】
【０００２】  通常、バンドの長さを調整するために、バンドを構成する駒体の取り外しが行われることが多い。その駒体の取り外しのためのアジャスト機構として、種々の機構のものが提案され、実施されている。
一般的には、駒体を連結する連結ピンを、駒体の側方からねじ込む構造であったり、弾性を有する長軸を用いたりする構造を用いていた。【０００３】  ところが、ねじや長軸を用いる構造では、バンドの長さを調節する作業を行う際に、小さなドライバや細いピンセットなどの特殊な治具を必要とし、バンド長さを簡単かつ容易に調整することはできないという問題がある。【０００４】  また、バンドの長さを調整するため、特許文献１，２に記載されている技術のように、バンドを連結するバックル本体の側部から突出したボタンを押しながら、バンドを長手方向に引くことによって、バンドを腕に装着したままで段階的に長さ調整することができるようにすることを意図したものがある。
【先行技術文献】
【特許文献】
【０００５】
【特許文献１】実開平１−１６４８１０号公報
【特許文献２】実開平７−３０７２７号公報
【考案の概要】
【考案が解決しようとする課題】
【０００６】  ところで、特許文献１，２によれば、バンドを腕に装着したままでバンドの長さを調整することができるとの記載がある。しかしながら、実際上、特許文献１，２に記載のバックルでは、バンドを腕に装着した状態において、バンドが装着されている方の装着者の手指では、装着されているバンドやバックルに触れることはできない。【０００７】  したがって、一方の腕の手指のみで、バックル本体の側部から突出したボタンを押しながら、しかも、バンドを長手方向に引くという作業を行うことは容易でない。
よって、使用者は、バンドを腕から外した状態で両手を用いて、ボタンとバンドを操作し、かつ引き出し量の調整を行う必要がある。【０００８】しかし、バンドを腕から外した状態でバンドの調整を行うことは、調整した後のバンドを腕に再度装着したときに、必ずしも装着者の腕に適正にフイットしている状態であるとは限らず、数回の調整が必要となることが考えられる。【０００９】  そこで本考案は、前記課題を解決し、バンドを腕に装着した状態であっても、簡単かつ容易にバンドの長さを調整することができるようにしたバンド長さ調整機構付きバックル構造を提供することを目的とする。
【課題を解決するための手段】
【００１０】  本考案のバンド長さ調整機構付きバックル構造は、蓋状のバックル本体の一部に開口部を形成し、前記開口部に、周囲に螺旋溝が形成された軸状の操作部材を周方向に回転可能に設け、前記操作部材の前記螺旋溝と噛合する複数の歯部が形成された移動部材を、前記バックル本体の内部にてバンド長手方向へ移動可能に設け、前記移動部材に一方のバンドを固定し、かつ前記バックル本体に他方のバンドを係止し、前記操作部材の周方向の回転操作により、前記螺旋溝から前記歯部への押圧によって前記移動部材を移動させることにより、前記一方のバンドの前記バックル本体に対する出没量を調整可能にしたことを特徴とする。【００１１】  また、前記操作部材を前記バックル本体の上面と側面との角部に形成した前記開口部に設けたことを特徴とする。
また、前記操作部材がウォームギャ構造であることを特徴とする。
また、前記操作部材の外周部に滑り止め用の凹凸部を形成したことを特徴とする。【００１２】  また、前記バックル本体の内部に前記操作部材の位置および動きを規制する付勢部材を備えたことを特徴とする。
また、前記前記バックル本体に折り畳み型の中留を介して前記他方のバンドを係止したことを特徴とする。
【考案の効果】
【００１３】  本考案のバンド長さ調整機構付きバックル構造によれば、装着者の腕にバンドを装着した状態において、バンドを装着していない側の腕の手指により、装着者が指で操作部材を周方向に回転させるだけで、バンドをバックル本体に対して出し入れ調整することができる。【００１４】  このため、従来のようにバンドの駒自体を特別な構造にしたり、特殊な治具を用いたりすることなく、装着者は、バンドを腕に装着したままで、バンドを引っ張り出す作業を行う必要がなく、容易かつ簡単に、しかも無段階的にバンドの長さ調整を行うことができる。
【図面の簡単な説明】
【００１５】
【図１】本考案の実施形態である時計バンドのバックルの外観斜視図である。
【図２】本実施形態のバックルの分解斜視図である。
【図３】本実施形態のバックルを裏面側から見た斜視図である。
【図４】本実施形態のバックルを裏面側から見た斜視図である。
【図５】本実施形態のバックルを裏面側から見た斜視図である。
【図６】本実施形態のバックルの操作部分を拡大して示す斜視図である。
【考案を実施するための形態】
【００１６】  以下に本考案の適な実施形態を図面にて説明する。
図１は本考案の実施形態である時計バンドのバックルの外観斜視図、図２は本実施形態のバックルの分解斜視図である。
図１，図２において、１は下面側が開放された蓋状の表蓋としてのバックル本体、２，３は後述するようにバックル本体１によって連結されているバンド端部、４は、一方のバンド端部２をバンド本体１の係止孔部１ａに、係止ピン５を用いて係止する折り畳み構造（本例では二つ折れ構造）の中留、６は中留４のバックル本体１に対する開閉を行うプッシュボタン７が内蔵されている公知の構造のプッシュボタンボックスである。
【００１７】  また、８は、他方のバンド端部３が係止部８ａで固定され、かつ凹部８ｂの一側部に複数の歯部９が形成され、バックル本体１内部をバンド長手方向（矢印Ａ方向）に移動可能に設けられた移動体であるスライド部材、１０は、バックル本体１の上面と側面との角部に形成された開口部１１に周方向に回転可能に設置され、周囲に螺旋溝１２が形成された軸状のウォームギャ構造の操作部材であって、操作部材１０には、外周部に滑り止め用の凹凸部１０ａが形成され、また両側部に回転軸部１０ｂが突出している。
【００１８】  １３は、バックル本体１の側面において前記開口部１１に隣り合うように形成され、プッシュボタンボックス６のプッシュボタン７が突出するように形成された横長の開口部である。
１４は、操作部材１０の回動を支持する支持腕部１４ａを有し、係止ピン１５とコイルスプリング１６を内蔵し、後述するようにバックル本体１の内部に設けられて、操作部材１０の位置決めおよび動きを規制する付勢部材としての固定箱ユニットである。
【００１９】  次に、本実施形態のバックルにおける各部材の関連構成について、図３〜図６に基づいて説明する。図３〜図５は組み立て過程における本実施形態のバックルを裏面側から見た斜視図、図６は本実施形態のバックルにおける操作部分を拡大して示す斜視図である。
【００２０】  図３はバックル本体１内にスライド部材８と操作部材１０を組み込んだ状態を示しており、操作部材１０の両側部の回転軸部１０ｂが、バックル本体１の内側壁に設けられた係止突起１ｂに係止され、操作部材１０の螺旋溝１２がスライド部材８の歯部９と噛合している。操作部材１０の一部は開口部１１から外部に突出し、軸方向の動きが規制されているため、操作部材１０と凹部８ｂの歯部９で噛合するスライド部材８は、バックル本体１から抜け出すことはない。
【００２１】  図４はバックル本体１内にスライド部材８と操作部材１０と固定箱ユニット１４を組み込んだ状態を示しており、固定箱ユニット１４は、固定箱ユニット１４の支持腕部１４ａが操作部材１０の回転軸部１０ｂを回転可能に支持している。固定箱ユニット１４は、図２に示す係止ピン１５によりコイルスプリング１６の付勢力を受けて、バックル本体１の係止孔１ｃに係止され固定されている。
また、固定箱ユニット１４は、内部のコイルスプリング１６の付勢力にて回転軸部１０ｂを介して操作部材１０を位置決めし、かつ適当な抵抗力を付与することによって操作部材１０の動きを規制している。
【００２２】  図４に示す状態にて、操作部材１０の周方向の回転操作により、螺旋溝１２が歯部９を押すように作用することによって、スライド部材８を長手方向に移動させる移動力を発生させ、スライド部材８をバンド長手方向に無段階的に移動させることができる。
【００２３】  図５はバックル本体１内にスライド部材８と操作部材１０と固定箱ユニット１４、およびプッシュボタンボックス６を組み込んだ状態を示しており、プッシュボタンボックス６を、プッシュボタン７がバックル本体１の側面の開口部１３から突出するように設置している。
プッシュボタンボックス６を設置した後、図２に示す中留４を、バンド本体１の係止孔部１ａに係止ピン５を用いて係止して、公知のような中留４の開閉機構を構成する。
【００２４】  前記構成の本実施形態のバックルにおいて、使用者が、バックル本体１の側面のプッシュボタン７を内部に押すことにより、公知のように中留４が開放可能な状態になり、また、バックル本体１を閉じることにより、プッシュボタンボックス６により中留４が閉鎖状態に保持される。
【００２５】  バンドの長さを調整するときには、使用者が指の腹などにより操作部材１０を周方向に回転させると、スライド部材８がバックル本体１内部で移動し、他方のバンド端部３がバックル本体１に対してバンド長手方向へ移動することになり、このバンド端部３の出没量の調整により、バンド長さを調整することができる。
【００２６】  本実施形態では、装着者の腕にバンドを装着した状態において、装着者がバンドを装着していない方の腕の手指により、操作部材１０を周方向に回転させるだけでバックル本体１に対してバンドが移動するため、容易かつ簡単にバンドの長さ調整を行うことができる。
【００２７】  なお、本実施形態では、操作部材１０をウォームギャ構造にしたが、操作部材１０自体を三角歯形状などのネジ構造にすることも考えられる。
【産業上の利用可能性】
【００２８】  本考案は、時計バンドや装飾具のバンド類などのバンド長さを調整し得るバックル構造として有効である。
【符号の説明】
【００２９】１  バックル本体（表蓋）
１ｂ  係止突起
２，３  バンド端部
４  中留（二つ折れ）
６  プッシュボタンボックス
７  プッシュボタン
８  スライド部材（移動体）
８ｂ  凹部
９  歯部
１０  操作部材
１０ａ  滑り止め用の凹凸部
１０ｂ  回転軸部
１１  開口部
１２  螺旋溝
１４  固定箱ユニット
１４ａ  支持腕部
１６  コイルスプリング
【図１】
0003159560.tif 000003
【図２】
0003159560.tif 000004
【図３】
0003159560.tif 000005
【図４】
0003159560.tif 000006
【図５】
0003159560.tif 000007
【図６】
0003159560.tif 000008